(57)【要約】本発明は洗濯機に使用される透明ドアを開示し、洗濯物をタブ１１ａに入れるための入口１２ａを開閉するように構成される本体３１と、タブ１１ａの内部をのぞき見ることができるように本体３１の少なくとも一部に形成される透明部３１ａと、そして、透明部３１ａの内面上に形成され、親水性材質で作られる第１層３３とを備えた洗濯機用ドア３０を提供する。
2005517477.tif 000002
【特許請求の範囲】
【請求項１】
洗濯物をタブに入れるための入口を開閉するように構成される本体と、
タブの内部をのぞき見ることができるように本体の少なくとも一部に形成される透明部と、
透明部の内面上に形成され、親水性材質で作られる第１層とを備えた洗濯機用ドア。
【請求項２】
前記本体が全体的に透明に形成されることを特徴とする請求項１に記載の洗濯機用ドア。
【請求項３】
前記本体及び前記透明部は、ＡＢＳ樹脂、またはＰＣ樹脂で形成されることを特徴とする請求項１に記載の洗濯機用ドア。
【請求項４】
前記第１層は液状の親水性材料を塗布して形成される塗布層であることを特徴とする請求項１に記載の洗濯機用ドア。
【請求項５】
前記第１層は親水性材料からなるフィルムを取り付けて形成されるフィルム層であることを特徴とする請求項１に記載の洗濯機用ドア。
【請求項６】
前記第１層は架橋ポリウレタンで形成されることを特徴とする請求項１に記載の洗濯機用ドア。
【請求項７】
前記透明部の外面上に形成され、高硬度を有する材料で作られる第２層をさらに含むことを特徴とする請求項１に記載の洗濯機用ドア。
【請求項８】
前記第２層は液状の高硬度材料を塗布して形成される塗布層であることを特徴とする請求項７に記載の洗濯機用ドア。
【請求項９】
前記第２層は高硬度材料からなるフィルムを取り付けて形成されるフィルム層であることを特徴とする請求項７に記載の洗濯機用ドア。
【請求項１０】
前記第２層は架橋ポリウレタンで形成されることを特徴とする請求項７に記載の洗濯機用ドア。
【請求項１１】
少なくとも部分的に透明部を含むようにドアの本体を形成する段階と、
前記透明部を洗浄する段階と、
前記透明部の内部表面に親水性材料からなる第１層を形成させる段階とを備えた洗濯機用ドアの製造方法。
【請求項１２】
前記本体及び透明部は、合成樹脂を射出して形成されることを特徴とする請求項１１に記載の洗濯機用ドアの製造方法。
【請求項１３】
前記本体及び透明部は、ＡＢＳ、またはＰＣ樹脂で製造されることを特徴とする請求項１２に記載の洗濯機用ドアの製造方法。
【請求項１４】
前記洗浄段階は、前記透明部を洗浄液で洗う段階からなることを特徴とする請求項１１に記載の洗濯機用ドアの製造方法。
【請求項１５】
前記洗浄段階以後に所定時間の間、前記透明部を乾燥させる段階をさらに含むことを特徴とする請求項１４に記載の洗濯機用ドアの製造方法。
【請求項１６】
前記洗浄段階は、前記透明部に圧縮された空気を吹き出す段階からなることを特徴とする請求項１１に記載の洗濯機用ドアの製造方法。
【請求項１７】
前記第１層形成段階は、液状の親水性材料を透明部に塗布する段階からなることを特徴とする請求項１１に記載の洗濯機用ドアの製造方法。
【請求項１８】
前記塗布段階は、
前記親水性材料を前記透明部に噴射する段階、または前記透明部を前記親水性材料に浸す段階を含むことを特徴とする請求項１７に記載の洗濯機用ドアの製造方法。
【請求項１９】
前記塗布段階以後に前記透明部を乾燥させる段階をさらに含むことを特徴とする請求項１７に記載の洗濯機用ドアの製造方法。
【請求項２０】
前記透明部は、常温の室内で少なくとも２４時間の間乾燥されることを特徴とする請求項１９に記載の洗濯機用ドアの製造方法。
【請求項２１】
前記第１層形成段階は、親水性材料からなるフィルムを透明部に取り付ける段階からなることを特徴とする請求項１１に記載の洗濯機用ドアの製造方法。
【請求項２２】
前記第１層は架橋ポリウレタンで形成されることを特徴とする請求項１１に記載の洗濯機用ドアの製造方法。
【請求項２３】
前記洗浄段階以後に透明部の外部面上に高硬度材料で作られる第２層を形成させる段階をさらに含むことを特徴とする請求項１１に記載の洗濯機用ドアの製造方法。
【請求項２４】
前記第２層形成段階は、液状の高硬度材料を透明部に塗布する段階からなることを特徴とする請求項２３に記載の洗濯機用ドアの製造方法。
【請求項２５】
前記塗布段階以後に透明部を乾燥させる段階をさらに含むことを特徴とする請求項２４に記載の洗濯機用ドアの製造方法。
【請求項２６】
前記第２層形成段階は、高硬度材質のフィルムを透明部に取り付ける段階からなることを特徴とする請求項２３に記載の洗濯機用ドアの製造方法。
【請求項２７】
前記第２層は架橋ポリウレタンで形成されることを特徴とする請求項２３に記載の洗濯機用ドアの製造方法。
【請求項２８】
ハウジングと、
前記ハウジングの内部に設置され、所定の動力手段によって回転しながら洗濯物を洗濯するタブと、
タブと連通するようハウジングに形成される入口を開閉する本体と、タブ内部をのぞき見ることができるように本体の少なくとも一部に形成される透明部と、透明部の内面上に形成され、親水性材質で作られる第１層とを含むドアと、を備えた洗濯機。
【請求項２９】
前記第１層は液状の親水性材料を塗布して形成される塗布層であることを特徴とする請求項２８に記載の洗濯機。
【請求項３０】
前記第１層は親水性材料からなるフィルムを取り付けて形成されるフィルム層であることを特徴とする請求項２８に記載の洗濯機。
【請求項３１】
前記ドアが前記透明部の外面上に形成され、高硬度材料で作られる第２層をさらに含むことを特徴とする請求項２８に記載の洗濯機用ドア。
【請求項３２】
前記第２層は液状の高硬度材料を塗布して形成される塗布層であることを特徴とする請求項３１に記載の洗濯機。
【請求項３３】
前記第２層は高硬度材料からなるフィルムを取り付けて形成されるフィルム層であることを特徴とする請求項３１に記載の洗濯機。
【請求項３４】
前記第１層または第２層は、架橋性ポリウレタンで形成されることを特徴とする請求項２８または請求項３１に記載の洗濯機。
【請求項３５】
少なくとも部分的に透明部を含むようにドアの本体を形成する段階と、
前記透明部を洗浄する段階と、
前記透明部の内部表面に親水性材料からなる第１層を形成し、透明部の外部表面に高硬度材料からなる第２層を形成する段階により製造される洗濯機用ドア。
【請求項３６】
前記１層及び第２層形成段階は、
液状の親水性及び高硬度材料を前記透明部の内面及び外面にそれぞれ塗布する段階、または親水性及び高硬度材料で作られたフィルムを前記透明部の内面及び外面にそれぞれ取り付ける段階からなることを特徴とする請求項３５に記載の洗濯機用ドア。
【請求項３７】
前記新水性及び高硬度材料は、それぞれ架橋ポリウレタンであることを特徴とする請求項３６に記載の洗濯機用ドア。
【発明の詳細な説明】
【技術分野】
【０００１】
本発明は洗濯機、特に洗濯機に備えられるドアに関する。
【背景技術】
【０００２】
一般に、洗濯機は、内部に設置されたタブを有し、そのタブを回転させ、その内部の洗濯物を洗濯する。洗濯機に洗濯物を出し入れするために、洗濯機ハウジングにはドアが装着される。このような洗濯機のドアは、通常、不透明な材質で形成されているため、ユーザが洗濯中に洗濯物の状態を確認するためにはドアを開放しなければならない。
【０００３】
しかしながら、一般に、ドアを開放すると、ユーザの安全のために洗濯機の動作が停止するようになっている。したがって、不必要な開放によって洗濯時間が延長されることもある。
【０００４】
かくして、洗濯中にもタブの内部を見ることができるように、少なくとも部分的に透明なドアが開発された。
【発明の開示】
【発明が解決しようとする課題】
【０００５】
しかし、このような透明な材質のドアであっても、タブの内部に高温の洗濯水が使用される場合には、ドアに水蒸気が付着し、ユーザが洗濯槽の内部をのぞきにくい。また、ドアは一般的に合成樹脂で製造されるため、使用中にキズがつき、このようなキズが増加するとさらにタブの内部を確認しにくくなる。
【０００６】
そこで、本発明の目的は、透明部に水蒸気が生じない洗濯機用ドアを提供することにある。
【０００７】
さらに、透明部にキズがつきにくい洗濯機用ドアを提供する。
【課題を解決するための手段】
【０００８】
上記目的を達成するための本発明の一形態によれば、洗濯物をタブに入れるための入口を開閉するように構成される本体、タブの内部をのぞき見ることができるように本体の少なくとも一部に形成される透明部、そして、透明部の内面上に形成され、親水性材質で作られる第１層からなる洗濯機用ドアが提供される。
【０００９】
まず、本体は全体的に透明に形成されることが好ましい。そして、本体及び透明部は、ＡＢＳ樹脂、またはＰＣ樹脂で形成される。
【００１０】
第１層は液状の親水性材料を塗布して形成される塗布層、或いは親水性材料からなるフィルムを取り付けて形成されるフィルム層である。また、第１層は架橋ポリウレタンで作られることが好ましい。
【００１１】
ドアは、一方、透明部の外面上に形成され、高硬度を有する材料で作られる第２層をさらに含むことが好ましい。
【００１２】
第２層は液状の高硬度材料を塗布して形成される塗布層、或いは高硬度材料からなるフィルムを取り付けて形成されるフィルム層である。また、第２層は架橋ポリウレタンで作られることが好ましい。
【００１３】
一方、本発明の他の形態によれば、本発明は少なくとも部分的に透明部を含むようにドアの本体を形成する段階、透明部を洗浄する段階、透明部の内部表面に親水性材料からなる第１層を形成する段階からなる洗濯機用ドアの製造方法を提供する。
【００１４】
形成段階は、本体及び透明部を形成するように合成樹脂を射出する段階からなる。
【００１５】
洗浄段階は、透明部を洗浄液で洗う段階からなり、洗浄段階以後に所定時間の間、透明部は乾燥される。一方、洗浄段階は、透明部に圧縮された空気を吹き出す段階からなる。
【００１６】
第１層形成段階は、液状の親水性材料を透明部に塗布する段階からなり、塗布段階は、親水性材料を透明部に噴射する段階、または透明部を親水性材料に浸す段階を含む。
【００１７】
また、塗布段階以後に透明部は乾燥され、好ましくは、常温の室内で少なくとも２４時間の間乾燥される。
【００１８】
第１層形成段階は、親水性材料からなるフィルムを透明部に取り付ける段階からなる。
【００１９】
本発明のドア製造方法は、洗浄段階以後に透明部の外部面上に高硬度材料で作られる第２層を形成させる段階をさらに含む。
【００２０】
第２層形成段階は、液状の高硬度材料を透明部に塗布する段階、または高硬度材質のフィルムを透明部に取り付ける段階からなる。
【００２１】
好ましくは、第１層及び第２層は架橋ポリウレタンで作られる。
【００２２】
本発明のさらに他の形態によれば、ハウジングと、ハウジングの内部に設置され、所定の動力手段によって回転しながら洗濯物を洗濯するタブと、タブと連通するようハウジングに形成される入口を開閉する本体と、タブの内部をのぞき見ることができるように本体の少なくとも一部に形成される透明部と、透明部の内面上に形成され、親水性材質で作られる第１層とを含むドアからなる洗濯機が提供される。
【００２３】
ドアは透明部の外面上に形成され、高硬度材料で作られる第２層をさらに含むことが好ましい。
【００２４】
本発明のさらにまた他の形態によれば、少なくとも部分的に透明部を含むようにドアの本体を形成する段階と、透明部を洗浄する段階と、透明部の内部表面に親水性材料からなる第１層を形成させ、透明部の外部表面に高硬度材料からなる第２層を形成する段階から製造される洗濯機用ドアを提供する段階を含む。
【発明を実施するための最良の形態】
【００２５】
以下、本発明の好ましい実施形態を添付図面に基づいて詳細に説明する。
【００２６】
図１は本発明によるドアを含む洗濯機を示す斜視図で、図２は本発明による洗濯機用ドアを示す部分斜視図である。これらを参照して本発明の洗濯機及び洗濯機用ドアを説明する。
【００２７】
本発明による洗濯機は、大別してハウジング１０と、ハウジングの内部に設置される洗濯のための各種の部品とからなる。ハウジング１０は、全体的に下部のキャビネット１１と、キャビネット１１の上部に設置されるトップカバー１２とを有する。
【００２８】
まず、下部のキャビネット１１は、洗濯機の主要部品が設置されるように構成され、このような部品を保護する。キャビネット１１の内部にタブ１１ａと、これを回転させるための駆動手段（図示せず）が設置される。タブ１１ａは洗濯物を収容し、キャビネット１１の内部に回転可能に設置される。駆動手段は、タブ１１ａに隣接して設けられ、ドラム１１ａに回転のための動力を提供する。駆動手段は、一般にモータ、駆動軸、モータ及び駆動軸を連結するクラッチ、またはベルトを含み、駆動軸はタブ１１ａに連結される。したがって、タブ１１ａは駆動手段によって回転しながらその内部の洗濯物を洗濯、及び脱水する。
【００２９】
トップカバー１２もキャビネット１１の上部を覆い、部品を保護する。図２に示すように、トップカバー１２は、タブ１１ａに洗濯物を出し入れするための入口１２ａを有する。また、トップカバー１２には、後述するドア２０を収容するシート部１２ｂが形成される。シート部１２ｂと入口１２ａとの境界からスカート部１２ｃが所定の長さで延長され、このようなスカート部１２ｃは投入される洗濯物を案内する役割を果たす。
【００３０】
かかるトップカバー１２には操作部２０と、ドア３０がそれぞれ設置される。
【００３１】
操作部２０は、トップカバー１２の後方に位置し、その前面にはユーザが洗濯機を操作するためのコントロールパネルが設置される。また、操作部２０の内部にはパネルに動作可能に連結され、洗濯機の動作を制御するコントローラ（図示せず）が設置される。
【００３２】
ドア３０は、図１及び図２に示すように、タブ１１ａと連通する入口１２ａを開放、または閉鎖するように構成される。より詳細には、ドア３０はトップカバー１２にヒンジで連結され、ヒンジを中心に回転しながら入口１２ａを開放、または閉鎖する。即ち、洗濯物はタブ１１ａ内にドア３０を開放した後、入口１５を介して投入され、ドア３０を閉鎖した後、タブ１１ａの回転によって洗濯、及び脱水される。
【００３３】
一方、既に説明したように、ドア３０、及び入口１２ａはトップカバー１２に設置されるが、内部の部品、特にタブ１１ａの配置にしたがってキャビネット１１に設置されることもある。
【００３４】
このようなドア３０についてより詳細に説明する。
【００３５】
図２に示すように、ドア３０は、大別して本体３１と、取っ手３２とからなる。ドア３０において、本体３１は、回転しながら入口１２ａを実質的に開閉する役割を果たす。したがって、本体３１は、図示した本発明の実施形態によれば、入口１２ａより大きな四角板状を有しているが、他に入口１２ａを開閉可能な何れの形状をも有し得る。
【００３６】
そして、本体３１には少なくとも部分的に透明部３１ａが形成される。
【００３７】
そして、このような透明部３１ａを介してユーザはドア３０と隣接するタブ１２ａ内の洗濯物の状態を何時でも確認可能である。
【００３８】
好ましくは、ユーザがタブ１２ａの内部をのぞきやすいように、透明部３１ａは、図２に示す実施形態のように、本体３１の全体にかけて形成される。即ち、本体３１が全体的に透明に形成される。このような透明な本体３１を介してユーザはタブ１２ａばかりでなく、周辺の他の部分ものぞき込むことができ、これによって、洗濯機の異常動作なども確認できる。
【００３９】
本体３１は合成樹脂を用いて作られ、特に透明部３１ａは透明合成樹脂で作られる。例えば、ＡＢＳ（Ａｃｒｙｌｏｎｉｔｒｉｌｅ  Ｂｕｔａｄｉｅｎｅ  Ｓｔｙｒｅｎｅ）樹脂、及びＰＣ（Ｐｏｌｙｃａｒｂｏｎａｔｅ）樹脂が本体３１の透明部３１ａの製造に用いられ得る。取っ手３２は、ドア３０の開閉時にユーザによって把持される部分である。取っ手３２は、本体３１と別に形成され本体３１に固定されるか、または本体３１と一体に形成される。また、取っ手３２は、本体３１と同一に合成樹脂で作られ得る。
【００４０】
一方、洗濯機の動作中に洗濯物の種類、及び状態に応じて温かい、または熱い洗濯水が使用される。このような洗濯水によって透明部３１ａを含めドア本体３１の表面には水蒸気で曇ったり、激しい場合は水玉が形成されたりする。
【００４１】
特に、タブ１１ａと向かい合っている透明部３１ａの内面にはタブ１１ａ内に温かい、または熱い洗濯水が流入すると同時に水蒸気で曇ったりする。このため、ユーザは透明部３１ａを介してタブ３１ａの洗濯物の状態を確認しにくい。このような理由で、図３Ａに示すように、透明部３１ａの内面には親水性材料で作られる第１層３３が形成される。
【００４２】
このような親水性材料は、温水によって発生する水蒸気の一部を吸水する。
【００４３】
また、親水性材料は、凝縮された水蒸気を材料の表面上に広げるようにすることで、凝縮された水蒸気が水玉を形成できなくする。したがって、第１層３３は、透明部３１ａの内部表面に水蒸気で曇ったり、水玉が生成することを防止する。このような親水性材料は多様であるが、架橋ポリウレタンが最も好ましい。本発明で架橋ポリウレタンは、両側部が親水性を有するように製造される。
【００４４】
このような第１層３３は、液状の親水性材料を透明部３１ａの内面に塗布して形成される。また、親水性材料はフィルムの形態で予め製造されるし、このような親水性フィルムは、第１層３３が形成されるように透明部３１ａの内面に取り付けられる。
【００４５】
また、透明部３１ａの外面は露出されており、合成樹脂で作られるので、キズがつきやすい。そして、このようなキズが増加すると、透明部３１ａは自分の透明性を喪失し、ユーザはタブ１１ａの内部をのぞきにくくなる。このような理由で、ドア３０は、好ましくは図３Ｂに示すように、透明部３１ａの外面に形成され、高い軽度の材料で作られる第２層３４をさらに含む。
【００４６】
このような第２層３４には多様な高硬度の材料を適用可能である。しかし、架橋ポリウレタンが親水性ばかりでなく、高い硬度を有しているので、第２層３４は、架橋ポリウレタンで製造されることが好ましい。このように、第１及び第２層３３，３４が同一の材料（つまり、架橋ポリウレタン）で形成されると、ドア３０の生産工程が一貫して単純化されるし、これに伴い生産単価も低減される。また、このような第２層３４は親水性も有するので、透明部３１ａの外面と内面の温度差によって透明部３１ａの外面上に水玉が生じたり、水蒸気で曇ったりしない。
【００４７】
一方、既述したように、架橋ポリウレタンは高い硬度を有するので、ポリウレタンで作られた第１層３３は水蒸気発生やキズを防止できる。
【００４８】
第１層３３と同様に、第２層３４は、液状の高硬度材料を透明部３１ａの外面に塗布して形成されるか、または高硬度材質のフィルムを外面に取り付けることで形成される。
【００４９】
以下、本発明によるドア製造方法およびドアの特徴を図４に基づいて説明する。
【００５０】
まず、ドア３０の本体３１が少なくとも部分的に透明部３１ａを含むよう
に形成される（Ｓ１０）。ドア本体３１は、既述したように、ＡＢＳ、またはＰＣ樹脂のような合成樹脂を用いて射出工程により形成される。ここで、透明樹脂及び不透明な樹脂を同時に射出することで、透明部３１ａは本体３１の一部で形成される。また、好ましくは、ドア本体３１は、透明な樹脂のみを用いて全体的に透明に製造される。
【００５１】
形成段階Ｓ１０が完了すると、本体３１、より正確には透明部３１ａが洗浄される（Ｓ２０）。洗浄段階Ｓ２０で、例えば透明部３１ａは洗浄液を用いて洗われえる。また、不純物の除去のために透明部３１ａに高圧のエアが吹き出される。洗浄液を使用する場合は、洗浄後に所定時間の間透明部３１ａを乾燥させる過程が必要である。しかし、エアを使用する場合には別の乾燥過程が必要ない。一方、洗浄液で洗浄した後、高圧のエアを使用して透明部３１ａを乾燥させることもある。
【００５２】
その後、透明部３１ａの内部表面に第１層３３が形成される（Ｓ３０）。既述したように、第１層３３は、内部表面への水蒸気付着を防止するために、親水性材料、好ましくは架橋ポリウレタンで作られる。
【００５３】
このような形成段階（Ｓ３０）において、第１層３３は、液状の親水性材料を透明部３１ａに塗布して形成される（Ｓ３１ａ）。より詳細には、第１層３３を形成するために、透明部３１ａに液状の親水性材料がスプレーで噴射される。
【００５４】
また、透明部３１ａは、液状の親水性材料に浸され、そのうち透明部３１ａ上に付いた親水性材料が第１層３３を形成する。液状の親水性材料は、親水性材料を適宜の溶剤で溶解させて製造する。ここで、例えば、溶剤はジアセトンアルコール（Ｄｉａｃｅｔｏｎｅ  ａｌｃｏｈｏｌ）、シクロヘキサン（Ｃｙｃｌｏｈｅｘａｎｅ）、３級ブタノール（ｔｅｒｔｉａｒｙ  ｂｕｔａｎｏｌ）、Ｎ−メチルピロリドン（Ｎ−ｍｅｔｈｙｌ  ｐｙｒｒｏｌｉｄｏｎｅ）からなる第１溶剤と、Ｎ−酢酸ブチル（Ｎ−ｂｕｔｙｌａｃｅｔａｔｅ）／キシレン（ｘｙｌｅｎｅ）からなる第２溶剤とを混合して製造される。
【００５５】
第１溶剤は、固形物２７％で、粘度が８−２５ｃｐｓであり、第２溶剤は、固形物７３％で、２００−５００ｃｐｓの粘度を有する。そして、第１溶剤と第２溶剤は２．８：１の体積比で混合され、親水性材料が添加される前に均一に混合されるようかき混ぜられる。
【００５６】
このような液状材料の塗布段階の（Ｓ３１ａ）後、第１層３３が定着するように透明部３１ａは所定時間の間乾燥される（Ｓ３２ａ）。ここで、第１層３３が安定的に形成されるように、透明部３１ａは常温の室内で自然に乾燥されることが好ましい。この際、乾燥時間は少なくとも２４時間以上であれば良い。
【００５７】
また、第１層３３は、親水性材料で作られたフィルムを透明部３１ａの内面に取り付けて形成される（Ｓ３１ｂ）。フィルムは、予め親水性材料、好ましくは架橋ポリウレタンで製造され、透明部３１ａの内面の大きさに合わせて切断される。そして、切断されたフィルムは、接着剤によって透明部３１ａの内面に取り付けられる。このように既製造されたフィルムを使用することで、取付段階（Ｓ３１ｂ）の後には別の乾燥過程は不要である。
【００５８】
一方、洗浄段階（Ｓ２０）以後、第１層３３とは別に透明部３１ａの外部表面に第２層３４が形成される（Ｓ４０）。第２層３４は、透明部３１ａのキズつきを防止するために、高硬度材、好ましくは第１層３３と同一に架橋ポリウレタンで作られる。形成段階（Ｓ４０）において、第２層３４は、液状の高硬度材料を透明部３１ａの外面に塗布するか（Ｓ４１ａ）、或いは高硬度材料で作られたフィルムを透明部３１ａの外面に取り付けて形成される（Ｓ４１ｂ）。このような塗布段階（Ｓ４１ａ）において、液状の高硬度材料が透明部３１ａの外面に噴射されるか、透明部３１ａの外面は液状の親水性材料に浸される。
【００５９】
そして、塗布段階（Ｓ４１ａ）以後に透明部３１ａは、第２層３４が定着するよう少なくとも２４時間以上常温の室内で自然乾燥される（Ｓ４２ａ）。
【００６０】
このような一連の第２層形成段階（Ｓ４１ａ，Ｓ４２ａ，Ｓ４１ｂ）は、上記の第１層形成段階（Ｓ３１ａ，Ｓ３２ａ，Ｓ３１ｂ）と実際に同一であるので、更なる詳細な説明は以下の記述においては省略する。  
したがって、このような各段階における同一性から、第２層形成段階（Ｓ４０）は、第１層形成段階（Ｓ３０）と同時に実行されるし、これによって生産工程の単純化や単価節減を得られる。即ち、第１及び第２層３３，３４は同時に形成されることが好ましい。また、上述したように、第１及び第２層３３，３４が同一の材料、つまり、架橋ポリエチレンで製造される場合、生産工程上の効率性がさらに増加する。
【００６１】
第１形成段階（Ｓ３０）又は／及び第２形成段階（Ｓ４０）が完了した後、ドア本体３１に取っ手３２が一体に形成、或いは取り付けられる。そして、入口１２ａを開閉できるように完成されたドア３０は、洗濯機に回転可能に装着される。
【００６２】
本発明は上記実施形態に限定されるものではなく、本発明の要旨を変更しない範囲で種々変形実施できることはもちろんである。
【産業上の利用可能性】
【００６３】
本発明のドアは、透明部、及び透明部上に形成された親水性の第１層を含み、第１層によって透明部の内面に水蒸気で曇ったり、水玉が生じたりしない。したがって、温水洗濯中にもユーザはタブの内部をより確実にのぞき見ることができ、実質的に便利となる。
【００６４】
また、本発明において、ドアの透明部の外面には高い硬度を有する第２層が付加的に形成されるので、透明部はキズが付きにくい。
【００６５】
したがって、透明部はタブの内部を常によくのぞき見ることができるように、第２層によってその透明度が維持される。
【図面の簡単な説明】
【００６６】
【図１】本発明によるドアを含む洗濯機を示す斜視図である。
【図２】本発明による洗濯機用ドアを示す部分斜視図である。、
【図３Ａ】本発明のドアを示す部分断面図である。
【図３Ｂ】本発明のドアを示す部分断面図である。
【図４】本発明による洗濯機用ドアの製造方法を示すフローチャートである。
【図１】
2005517477.tif 000003
【図２】
2005517477.tif 000004
【図３Ａ】
2005517477.tif 000005
【図３Ｂ】
2005517477.tif 000006
【図４】
2005517477.tif 000007
【国際調査報告】
2005517477.tif 000008
2005517477.tif 000009